(57)【要約】【課題】  水滴や粉じんがハウジングの内部に侵入することを少ない電動工具を提供すること。【解決手段】  モータと、前記モータを収容するハウジングと、前記モータの回転により所定の作業を行う先端工具と、前記ハウジングに設けられ、前記ハウジングの内部と前記ハウジングの外部とを空間的につなげる風窓と、を有する携帯用工具であって、前記風窓に通気性及び防水性を有するフィルタを設けることにより、達成することができる。【選択図】  図５
2010036260.tif 000002
【特許請求の範囲】
【請求項１】
モータと、
前記モータを収容するハウジングと、
前記モータの回転により所定の作業を行う先端工具と、
前記ハウジングに設けられ、前記ハウジングの内部と前記ハウジングの外部とを空間的につなげる風窓と、を有する携帯用工具であって、
前記風窓に通気性及び防水性を有するフィルタを設けたことを特徴とする携帯用工具。
【請求項２】
前記フィルタは、前記ハウジングの内周面に設けられていることを特徴とする請求項１記載の携帯用工具。
【請求項３】
前記ハウジングは、
モータを収容する第１ハウジングと、
前記第１ハウジングに着脱可能に設けられる第２ハウジングと、
を有しており、
前記第２ハウジングに、前記風窓は設けられていることを特徴とする請求項１又は請求項２記載の携帯用工具。
【請求項４】
前記フィルタの周りにパッキング材を設けたことを特徴とする請求項１から請求項３のいずれか１項記載の携帯用工具。
【請求項５】
モータと、
前記モータを収容するハウジングと、
前記モータの回転により所定の作業を行う先端工具と、
前記ハウジングに設けられ、前記ハウジングの内部と前記ハウジングの外部とを空間的につなげる第１の風窓と、を有する携帯用工具であって、
前記ハウジングの一部を覆い、前記ハウジングに取付け可能なカバー部材を有し、
前記カバー部材には、第２の風窓が設けられており、
前記第１の風窓と前記第２の風窓とは空間的につながっており、
前記第１の風窓と前記第２の風窓との間において、通気性を有するフィルタが前記カバー部材に設けられていることを特徴とする携帯用工具。
【請求項６】
前記カバー部材は変形可能であり、
前記カバー部材は、前記カバー部材の変形により前記ハウジングに取付けられることを特徴とする請求項５記載の携帯用工具。
【請求項７】
前記カバー部材に着脱可能に前記フィルタが設けられていることを特徴とする請求項５又は請求項６記載の携帯用工具。
【請求項８】
前記フィルタは多孔質膜であることを特徴とする請求項１から請求項７のいずれか１項記載の携帯用工具。
【請求項９】
前記多孔質膜は、０．１マイクロメートルから１０マイクロメートルの微細孔を有することを特徴とする請求項８記載の携帯用工具。
【発明の詳細な説明】
【技術分野】
【０００１】
本発明は、携帯用工具の風窓を覆うフィルタに関するものである。
【背景技術】
【０００２】
従来の携帯用工具では、ハウジングに設けられた風窓は開いた状態となっていた。特許文献１には、トリガの操作に連動して風窓を開閉可能な電動工具が開示されている。
【０００３】
【特許文献１】特開平１０−１５８５０号公報
【発明の開示】
【発明が解決しようとする課題】
【０００４】
上記したように従来の携帯用工具では、風窓からハウジング内部に水滴や粉じんが侵入することがあった。この侵入により携帯用工具のモータが止まることがあった。
【０００５】
また、上記した特許文献１の発明の構成では、トリガの操作に連動して風窓を開閉可能であるためにトリガの操作性が良くないものであった。
【０００６】
本発明の目的は、風窓からハウジング内部に水滴や粉塵が侵入することが少ない携帯用工具を提供することである。
【課題を解決するための手段】
【０００７】
上記の目的は、モータと、前記モータを収容するハウジングと、前記モータの回転により所定の作業を行う先端工具と、前記ハウジングに設けられ、前記ハウジングの内部と前記ハウジングの外部とを空間的につなげる風窓と、を有する携帯用工具であって、前記風窓に通気性及び防水性を有するフィルタを設けることにより、達成することができる。
【発明の効果】
【０００８】
本発明の構成の携帯用工具とすることにより、風窓からハウジングの内部へと水滴や粉塵が侵入することが少ない携帯用工具を提供することができる。
【発明を実施するための最良の形態】
【０００９】
以下、本発明の第１の実施形態につき、図１から図６に基づいて説明する。本実施の形態は、携帯用工具の一例として携帯用電気インパクトドライバを用いて説明する。
【００１０】
図１は本発明の第１の実施形態を構成するフィルタ２２、２３を備えるインパクトドライバ１の右側面図である。以下の説明において、インパクトドライバ１の前後方向については、図１においてアンビル１３が設けられている方向を前方とし、後方ハウジング４が設けられている方向を後方として説明する。また、上下方向については、ハンマケース３が設けられている方向を上方とし、バッテリ１８が設けられている方向を下方とする。図２はインパクトドライバ１の背面図であり、ハウジング２ａが設けられている方向を左方、ハウジング２ｂが設けられている方向を右方とする。図３はインパクトドライバ１の部分断面図、図４は図１のハウジング２及びフィルタ２２のＡ−Ａ線矢視図、図５は後方ハウジング４の前方斜視図、図６はフィルタ２２、２３の平面図である。
【００１１】
図１から図４に示すとおり、インパクトドライバ１の外枠は、ハウジング２、ハンマケース３、後方ハウジング４からなる。ハウジング２は、第１二つ割ハウジング２ａと第２二つ割ハウジング２ｂが図示しないねじにより右側面からねじ止めされてなる。なお、請求項３における第１ハウジングがハウジング２に対応し、第２ハウジングが後方ハウジング４に対応する。
【００１２】
ハンマケース３は、その後部を第１二つ割ハウジング２ａと第２二つ割ハウジング２ｂに左右から挟まれて保持されている。後方ハウジング４は、ハウジング２の後方からねじ１９によりねじ止めされている。後方ハウジング４は、ハウジング２の側面に沿うように背面４ｃから前方へ伸びる一対の突設部４ａ、４ａを有している。突設部４ａ、４ａに風窓２０が設けられ、背面４ｃに風窓２１が設けられている。
【００１３】
ハウジング２には略円筒形の胴体部１４と該胴体部１４の下方に延設されたハンドル１５が形成されている。ハンドル１５上部であって前方にはスイッチ１６が、下部にはバッテリー受け部１７が配設される。バッテリー受け部１７下部にはバッテリー１８が着脱可能に配設される。
【００１４】
ハウジング２とハンマケース３内には、図３に示すように電気モータ５と、電気モータ５により回転するギヤ部１０と、ギヤ部１０にスピンドル１１を介在して連結されるハンマ１２と、ハンマ１２により回転打撃されるアンビル１３を有する。アンビル１３には、ねじ穴と嵌合可能な先端部を有する先端工具を取付け可能である。
【００１５】
電気モータ５の回転軸６の前側は前側軸受け７を介して、後側は後側軸受け８を介してそれぞれ回転自在に外枠に支持されている。前側軸受け７はハウジング２内に設けた前側軸受け保持部２ｃ内に保持されている。
【００１６】
この前側軸受け７と電気モータ５の間の空間には、回転軸６に冷却ファン９が固定されている。後側軸受け８は、後方ハウジング４の内側ほぼ中央に設けた後側軸受け保持部４ｂ内に保持されている。なお、この後側軸受け保持部４ｂは、前側軸受け保持部２ｃと同様にハウジング２内に設けてもよい。電気モータ５に通電されると、回転軸６とともに冷却ファン９が回転することにより、後方ハウジング４の背面４ｃの風窓２１から外枠内部へと外気が吸入され、電気モータ５を冷却した後、突設部４ａ、４ａの風窓２０から排出される。
【００１７】
図５及び図６に示すとおり、後方ハウジング４の風窓２０の内側の内周面にはフィルタ２２が設けられ、背面４ｃの風窓２１の内側にはフィルタ２３が設けられている。このように、ハウジング２からねじ１９によって着脱可能な後方ハウジング４にフィルタ２２、２３を設けた構成としたので、フィルタがその機能を発揮しなくなった際などには、後方ハウジング４をハウジング２から取外すことにより容易にフィルタを交換することができる。
【００１８】
また、このように、後方ハウジング４の内周面に設けることにより、不意に地面などにインパクトドライバ１がぶつかった際にも、フィルタが地面などにより傷付くことを防ぐことができる。
【００１９】
また、図６に示すとおり、フィルタ２２、２３は、多孔質膜２２ａ、２３ａを弾性変形する薄板状の枠２２ｂ、２３ｂに貼り付けてなる。多孔質膜２２ａ、２３ａは、空気や水蒸気のような気体は通し、水などの液体や粉じんなどの固体は弾くために、大きさ約０．１マイクロメートルから１０マイクロメートルの微細孔を有することが望ましい。このようにフィルタを構成したので、インパクトドライバ１は風窓２０、２１から内部への水滴や粉じんの侵入を防ぐことができる。枠２２ｂ、２３ｂは弾性変形するため、枠２２ｂ、２３ｂに両面に接着面を有するテープなどを貼ることにより、フィルタ２２後部ケース２３を風窓２０、２１の内側に隙間なく貼り付けることができる。なお、多孔質膜として、例えば４ふっ化エチレン樹脂多孔質膜や伸ポリテトラフルオロエチレン（ｅＰＴＦＥ）により構成された膜などを用いることができる。
【００２０】
なお、多孔質膜２２ａ、２３ａの微細孔の大きさとしては、０．００１マイクロメートルから０．１マイクロメートルであってもよい。このような微細孔の大きさでは、より防水性が高められ、水滴や粉塵の侵入の防止をより確実にすることができる。
【００２１】
また、多孔質膜２２ａ、２３ａの微細孔の大きさとして、１０マイクロメートルから１０００マイクロメートルであってもよい。このような微細孔の大きさでは、より通気性が高められる。このため、外枠の内部への空気の流入がより容易になる。よって外枠内への空気が流入する際の抵抗が少なくなり、冷却ファン９の効率を高めることができる。
【００２２】
また、図示しないが、フィルタ２２、２３周りにパッキング材を設けている。このため、インパクトドライバ１の防水性と防じん性をより高めることができる。このパッキング材としては、例えば、ウレタンやゴムなどを用いることができる。
【００２３】
また、前記したとおりフィルタ２２、２３は薄板状で軽量なため、フィルタ２２、２３を設けない場合と比べてインパクトドライバ１の大きさや質量が著しく変わることがなく、インパクトドライバ１の操作性を保つことができる。
【００２４】
また、後方ハウジング４はねじ１９を外すことにより簡単にハウジング２から取り外すことができるため、フィルタ２２、２３の清掃や交換が容易にできる。
【００２５】
また、図示しないが、風窓２０、２１の周囲に複数の突起を設け、枠２２ｂ、２３ｂの対応する箇所に突起と嵌合する貫通孔を設けることにより、フィルタ２２、２３を容易に着脱し交換できるようになる。
【００２６】
また、図示しないが、後方ハウジング４をアルミダイカストで成形し、表面にバフ研磨を施すことにより、表面の平滑性が高められ、フィルタ２２、２３がより接着しやすくなる。また、後方ハウジング４の強度が向上する。更に、鏡面処理などで後方ハウジング４の質感が高められ、インパクトドライバ１の意匠性が向上する。
【００２７】
また、図示しないが、後方ハウジング４の表面に蒸着処理を施すことにより、表面の平滑性が高められ、フィルタ２２、２３がより接着しやすくなる。更に、金属調の光沢処理などで後方ハウジング４の質感が高められ、インパクトドライバ１の意匠性が向上する。
【００２８】
また、図示しないが、後方ハウジング４にメタリック塗料を塗布することにより、表面の平滑性が高められ、フィルタがより接着しやすくなる。更に、後方ハウジングの質感が高められ、携帯用工具の意匠性が向上する。
【００２９】
また、図示しないが、後方ハウジング４をメタリック樹脂で成形したことにより、光沢仕上げが可能となり、表面の平滑性が高められ、前記フィルタがより接着しやすくなる。更に、後方ハウジングの質感が高められ、携帯用工具の意匠性が向上する。
【００３０】
電気モータ５の回転軸６の後側軸受け８を後方ハウジング４の内側ほぼ中央に設けた軸受け保持部４ｂ内に保持する効果について説明する。
【００３１】
なお、図１１に従来のインパクトドライバ２９を例として示すが、従来のハウジングが２つ割ハウジング２からなるインパクトドライバ２９は、胴体部１４後端にねじ止め用のねじボス３０が設けられていた。一般にインパクトドライバを使用する際、相手材にねじなどを打ち込む力を強めるために胴体部１４の背面を押す姿勢をとることが多い。そこで、胴体部の１４背面を押しやすくするために、胴体部１４後端のねじボス３０が胴体部１４の背面から突出しないよう、ハウジング２の後方を延長して胴体部１４内にねじボス３０を収めていた。その結果、従来のインパクトドライバ２９は全長が長かった。
【００３２】
これに対して図３に示すとおり、インパクトドライバ１はハウジング２の後方から後方ハウジング４をねじ１９によりねじ止めし、電気モータ５の回転軸６の後側軸受け８を後方ハウジング４の内側ほぼ中央に設けた軸受け保持部４ｂ内に保持する構成にすることにより、胴体部後端のねじボスを省いて電気モータ５の後方をより短くでき、全長をより小形化することができる。
【００３３】
本発明の第２の実施形態について、図７から図１０に基づいて説明する。
【００３４】
図７は本実施の別の形態に係るフィルタ２２、２３を備えるインパクトドライバ１の右側面図、図８はインパクトドライバ１の背面図、図１０は図７のＡ−Ａ線矢視図、図１１は外付けカバー２４の前方斜視図である。
【００３５】
インパクトドライバ１のハウジング及び内部構成は、フィルタ２２、２３が省かれたことを除いて前記したインパクトドライバ１と同様なため、省略する。
【００３６】
図７から図９に示すとおり、インパクトドライバ１には後部カバー４を覆うように外付けカバー２４が着脱自在に取付けられている。請求項５のカバー部材は、外付けカバー２４に対応する。
【００３７】
外付けカバー２４はハウジング２の側面に沿って前方へ伸びる一対の突設部２４ａ、２４ａを有し、突設部２４ａ、２４ａに後部カバー４の風窓２０と外部を連通する第２風窓２５が設けられ、背面に後部カバー４の風窓２１と外部を連通する第２風窓２６が設けられている。
【００３８】
図９及び図１０に示すとおり、外付けカバー２４の第２風窓２５の内側にはフィルタ２２が設けられ、第２風窓２６の内側にはフィルタ２３が設けられている。更に、外付けカバー２４の端部には、弾性変形するパッキング材が全周に設けられている。したがって、インパクトドライバ１は外付けカバー２４を取付けることにより、前記した第１の実施形態のインパクトドライバ１と同様に風窓２０、２１から内部への水滴や粉じんの侵入を防ぐことができる。また、屋内作業などで、風窓２０、２１から内部への水滴や粉じんの侵入する可能性が低い場合は、外付けカバー２４を外し、より軽量化した状態でインパクトドライバ１を使用することができる。
【００３９】
外付けカバー２４をインパクトドライバ１から取外した状態では、突設部２４ａ、２４ａの間隔Ｌは胴体部１４の間隔よりも狭いように構成されている。このため、突設部２４ａ、２４ａで胴体部１４を左右から挟むことができる。このようにしてインパクトドライバ１に、新たな係合部材などを設けなくとも外付けカバー２４を取付けることができる。また、胴体部１４の側面に突設部２４ａ、２４ａが嵌合する凹部２７、２７を有するため、外付けカバー２４の上下方向の動きを制限することができ、インパクトドライバ１により確実に外付けカバー２４を取付けることができる。
【００４０】
また、図示しないが、外付けカバー２４の貫通孔２５、２６の内側の周囲に複数の突起を設け、枠２２ｂ、２３ｂの対応する箇所に突起と嵌合する貫通穴を設けることにより、フィルタ２２、２３を容易に着脱し交換できるようになる。
【００４１】
最後に、以上説明した構成は、例えばフィルタの大きさや形状を携帯用工具の風窓の大きさや形状または外付けカバーの第２の風窓の大きさや形状など合わせることができる。
【００４２】
本発明は、本発明の趣旨を逸脱しない範囲で様々な製品への適用が可能である。例示したインパクトドライバに限らず、丸のこ、スクリュードライバ、圧縮空気で駆動されるエアツールやエンジン工具等の携帯用工具に幅広く適用できる。なお、その場合には、本発明の実施形態として電気モータを用いる
【図面の簡単な説明】
【００４３】
【図１】本発明の第１の実施形態を示すインパクトドライバの右側面図
【図２】本発明の第１の実施形態を示すインパクトドライバの背面図
【図３】本発明の第１の実施形態を示すインパクトドライバの一部断面左側面図
【図４】図１のＡ−Ａ線断面図
【図５】本発明の第１の実施形態を構成する後方ハウジングの斜視図
【図６】フィルタの正面図
【図７】本発明の第２の実施懈怠を示すインパクトドライバの右側面図
【図８】本発明の第１の実施形態を示すインパクトドライバの背面図
【図９】図７のＡ−Ａ線矢視図
【図１０】本発明の第２の実施形態を構成する外付けカバーの斜視図
【図１１】従来のインパクトドライバを示す一部断面図
【符号の説明】
【００４４】
１  インパクトドライバ、２  ハウジング、３  ハンマケース、４  後方ハウジング、５  電気モータ６  回転軸、９  ファン、１０  ギヤ部、１１  スピンドル、１２  ハンマ、１３  アンビル、１８  バッテリ、２０  風窓、２１  風窓、２２  フィルタ、２３  フィルタ、２４  外付けカバー、２５  第２風窓、２６  第２風窓、２８  パッキング材
【図１】
2010036260.tif 000003
【図２】
2010036260.tif 000004
【図３】
2010036260.tif 000005
【図４】
2010036260.tif 000006
【図５】
2010036260.tif 000007
【図６】
2010036260.tif 000008
【図７】
2010036260.tif 000009
【図８】
2010036260.tif 000010
【図９】
2010036260.tif 000011
【図１０】
2010036260.tif 000012
【図１１】
2010036260.tif 000013